(57)【要約】  本発明は、移動端末とテレマティックス端末間の端末切替状態で端末切替を解除する方法及びシステムに関し、本発明による移動通信システムにおいて移動端末からテレマティックス端末への端末切替状態を解除する方法は、前記移動端末から端末切替解除を示す識別コードを含む端末切替の解除要請を受信する段階と、前記識別コードに基づいてホーム位置レジスタに前記移動端末に対する情報として設定されたテレマティックス端末の情報を非活性化させ移動端末の情報を活性化させて復元する段階と、前記移動端末が位置している第１切替装置に前記移動端末に対する活性命令を伝送して前記移動端末の移動通信サービスを許容する段階と、を含むことを特徴とする。
2010527555.tif 000002
【特許請求の範囲】
【請求項１】
移動通信システムにおいて移動端末からテレマティックス端末への端末切替状態を解除する方法であって、
（ａ）前記移動端末から端末切替解除を示す識別コードを含む端末切替の解除要請を受信する段階と、
（ｂ）前記識別コードに基づいてホーム位置レジスタに前記移動端末に対する情報として設定されたテレマティックス端末の情報を非活性化させ移動端末の情報を活性化させて復元する段階と、
（ｃ）前記移動端末が位置している第１切替装置に前記移動端末に対する活性命令を伝送して前記移動端末の移動通信サービスを許容する段階と、を含む移動端末とテレマティックス端末間の端末切替サービス方法。
【請求項２】
前記段階（ａ）の後に、
（ｄ）前記テレマティックス端末のプロフィール情報を得る段階と、
（ｅ）前記テレマティックス端末が位置する第２切替装置に前記テレマティックス端末のプロフィール情報として設定された移動端末のプロフィール情報を得られた前記テレマティックス端末のプロフィール情報に変更する段階と、をさらに含むことを特徴とする請求項１に記載の移動端末とテレマティックス端末間の端末切替サービス方法。
【請求項３】
前記プロフィール情報は、端末のＭＳＩＳＤＮであることを特徴とする請求項２に記載の移動端末とテレマティックス端末間の端末切替サービス方法。
【請求項４】
前記切替装置は、ＭＳＣ（Ｍｏｂｉｌｅ Ｓｗｉｔｃｈｉｎｇ Ｃｅｎｔｅｒ）、ＳＧＳＮ（Ｓｅｒｖｉｎｇ ＧＰＲＳ Ｓｕｐｐｏｒｔ Ｎｏｄｅ）のうち１つであることを特徴とする請求項１ないし請求項３のいずれか１項に記載の移動端末とテレマティックス端末間の端末切替サービス方法。
【請求項５】
移動通信網において移動端末からテレマティックス端末への端末切替を解除する端末切替サービスシステムであって、
移動端末側切替装置として、前記移動端末から端末切替解除を示す識別コードを含む端末切替の解除要請を受信する第１切替装置と、
前記識別コードに基づいて前記第１切替装置から端末切替の解除要請を受信する端末切替サービス装置と、
前記移動端末側ホーム位置レジスタとして、前記端末切替サービス装置の命令に従って、移動端末に対する情報として設定されたテレマティックス端末の情報を非活性化させ移動端末の情報を活性化させて復元する第１ホーム位置レジスタと、
前記テレマティックス端末側切替装置として、前記テレマティックス端末のプロフィール情報として設定された移動端末のプロフィール情報をテレマティックス端末のプロフィール情報に復元する第２切替装置と、を含み、
前記第１切替装置は、前記第１ホーム位置レジスタから前記移動端末に対する活性命令を受信して前記移動端末の移動通信サービス遮断を解除することを特徴とする移動端末とテレマティックス端末間の端末切替サービスシステム。
【請求項６】
前記テレマティックス端末側ホーム位置レジスタとして、前記端末切替サービス装置の命令に従って、前記テレマティックス端末のプロフィール情報を検索して前記第２切替装置に伝送する第２ホーム位置レジスタをさらに含むことを特徴とする請求項５に記載の移動端末とテレマティックス端末間の端末切替サービスシステム。
【請求項７】
前記切替装置は、ＭＳＣ（Ｍｏｂｉｌｅ Ｓｗｉｔｃｈｉｎｇ Ｃｅｎｔｅｒ）、ＳＧＳＮ（Ｓｅｒｖｉｎｇ ＧＰＲＳ Ｓｕｐｐｏｒｔ Ｎｏｄｅ）のうち１つであることを特徴とする請求項５または請求項６に記載の移動端末とテレマティックス端末間の端末切替サービスシステム。
【請求項８】
移動通信システムにおいて移動端末からテレマティックス端末への端末切替状態で着信不可呼に対する発信情報メッセージを提供する方法であって、
（ａ）前記移動端末に着信されなければならない呼を前記テレマティックス端末に着信処理する段階と、
（ｂ）前記テレマティックス端末が着信不可状態である場合、着信不可呼に対する発信情報メッセージを作成する段階と、
（ｃ）作成された発信情報メッセージの前記移動端末への着信を臨時許容し、作成された前記発信情報メッセージを前記移動端末に伝送する段階と、を含む端末切替サービスで着信不可呼に対する発信情報メッセージの提供方法。
【請求項９】
前記段階（ｂ）は、発信情報メッセージに該当メッセージが着信不可呼に対する発信情報メッセージであることを示すインジケーターを挿入し、
前記段階（ｃ）は、前記インジケーターに基づいて発信情報メッセージの前記移動端末への着信を臨時許容することを特徴とする請求項８に記載の端末切替サービスで着信不可呼に対する発信情報メッセージの提供方法。
【請求項１０】
前記段階（ｂ）は、
テレマティックス端末側交換機で前記移動端末のプロファイルを保存しているホーム位置レジスタに発信情報メッセージの伝送を要請する段階と、
前記ホーム位置レジスタで発信情報提供サーバーに発信情報メッセージの伝送を要請する段階と、
前記発信情報提供サーバーで発信情報メッセージを作成する段階と、を含むことを特徴とする請求項８または請求項９に記載された端末切替サービスで着信不可呼に対する発信情報メッセージの提供方法。
【請求項１１】
移動端末からテレマティックス端末への端末切替状態で着信不可呼に対する発信情報メッセージを提供するシステムであって、
テレマティックス端末側切替装置として、前記移動端末に着信されなければならない呼を前記テレマティックス端末に着信処理する第１切替装置と、
前記移動端末のプロフィール情報を保存しているホーム位置レジスタとして、前記テレマティックス端末が着信不可状態である場合、前記第１切替装置から着信不可呼に対する発信情報メッセージの伝送要請を受信するホーム位置レジスタと、
前記ホーム位置レジスタの要請に応じて着信不可呼に対する発信情報メッセージを作成してメッセージセンターを通じて伝送する発信情報提供装置と、
移動端末側切替装置として、前記発信情報メッセージを受信し、その受信された発信情報メッセージの前記移動端末への着信を臨時許容し、前記発信情報メッセージを前記移動端末に伝送する第２切替装置と、を含む端末切替サービスで着信不可呼に対する発信情報メッセージ提供システム。
【請求項１２】
前記第２切替装置は、
前記移動端末に対して着信不可呼に対する発信情報メッセージを除いた他の移動通信サービスを遮断することを特徴とする請求項１１に記載の端末切替サービスで着信不可呼に対する発信情報メッセージ提供システム。
【請求項１３】
前記ホーム位置レジスタは、
前記着信不可呼に対する発信情報メッセージを除いた他の前記移動端末に対する着信呼は前記第１切替装置にルーティングさせることを特徴とする請求項１１または請求項１２に記載の端末切替サービスで着信不可呼に対する発信情報メッセージ提供システム。
【発明の詳細な説明】
【技術分野】
【０００１】
本発明は通信端末の切替に関し、より詳しくは、移動端末からテレマティックス端末への端末切替に関する。
【背景技術】
【０００２】
現在、使用中の移動端末の全体プロフィールを新しい移動端末に移転しようとする場合は、機器変更や解約及び開通の手続きが必要であり、これは一回性ではなく永久的な特性を持つ。また、プロフィールの移転後に元の状態に復帰するためには、同様の手続きを繰り返さなければならない。
【０００３】
一方、近年映像通話が可能なＷＣＤＭＡシステムが導入され、移動通信加入者は移動端末に装着されたスマートカード（例えば、ＵＳＩＭ）を分離して他の移動端末に装着して使用することができる。しかし、この過程は移動通信加入者が移動端末からスマートカードを分離して他の移動端末に装着しなければならず煩雑である。それ故に、このような煩雑さを解消し、移動通信加入者が現在使用中の移動端末ではなく他の移動端末を自由に使用できる方法が求められる。
【０００４】
また、近年、車輌の運転者及び搭乗者に目的地までの経路を案内するナビゲーション機能、盗難警報、緊急救助（ＳＯＳ）、遠隔診断、消耗品管理、ハンズフリー携帯電話、生活情報、個人情報、セクレタリーサービス、及びインターネット接続など多様なマルチメディア機能を支援するテレマティックスサービスが提供されている。特に、テレマティックスサービスを具現するテレマティックス端末には、移動通信モジュールが内蔵されており、テレマティックス端末を用いてモバイル通信が行えるだけでなくユーザが持っている外部の携帯電話を連結してハンズフリーで使用することができる。
【０００５】
しかし、移動端末の間に互換性がないことと同様に、テレマティックス端末と移動端末間にも互換性が全くない。単に、移動通信加入者が自分の移動端末をテレマティックス端末にケーブルで直接連結してハンズフリーで使用できる機能を提供するだけで、移動端末のプロフィールをテレマティックス端末に自動的に切り替えて使用できる機能は全く提供していない。すなわち、移動通信加入者は車輌に乗れば交通事故を防止するためにハンズフリーで移動電話サービスを使用しなければならないが、従来は移動端末とテレマティックス端末をケーブルで連結して使用するしかなかった。しかし、この方法は非常に不便であって、移動電話機能を備えるテレマティックス端末を従来のハンズフリー装置として使用するだけで、テレマティックス端末の本来の機能を活用できないという問題点がある。
【発明の概要】
【発明が解決しようとする課題】
【０００６】
本発明は、上記問題点を解決するために提案されたものであり、移動端末からテレマティックス端末にサービスを切り替え、前記テレマティックス端末で前記移動端末に提供される移動通信サービスの提供を受けることができるようにする端末切替サービス方法及び端末切替サービスシステムを提供することをその目的とする。
【０００７】
また、本発明は、上記のように端末を切り替えた後、端末切替を解除して再び移動端末で移動通信サービスの提供を受けることができるようにする端末切替サービス方法及び端末切替サービスシステムを提供することを他の目的とする。
【０００８】
また、本発明は、上記のように端末を切り替えた後、前記テレマティックス端末が着信不可状態であるとき、着信不可呼に対する発信情報メッセージを前記移動端末に伝送するための端末切替サービスにおける着信不可呼に対する発信情報メッセージの提供方法及びシステムを提供することをさらに他の目的とする。
【０００９】
本発明の他の目的及び長所は、下記の説明によって理解でき、本発明の実施例を通じてより明らかに分かるであろう。また、本発明の目的及び長所は特許請求の範囲に示す手段及びその組合せによって実現できることが容易に理解できるであろう。
【課題を解決するための手段】
【００１０】
上記の目的を達成するため、本発明の第１側面による移動通信システムにおいて移動端末からテレマティックス端末への端末切替状態を解除する方法は、前記移動端末から端末切替解除を示す識別コードを含む端末切替の解除要請を受信する段階と、前記識別コードに基づいてホーム位置レジスタに前記移動端末に対する情報として設定されたテレマティックス端末の情報を非活性化させ移動端末の情報を活性化させて復元する段階と、前記移動端末が位置している第１切替装置に前記移動端末に対する活性命令を伝送して前記移動端末の移動通信サービスを許容する段階と、を含むことを特徴とする。
【００１１】
また、上記の目的を達成するため、本発明の第２側面による移動通信網において移動端末からテレマティックス端末への端末切替を解除する端末切替サービスシステムは、前記移動端末から端末切替解除を示す識別コードを含む端末切替の解除要請を受信する第１切替装置と、前記識別コードに基づいて前記第１切替装置から端末切替の解除要請を受信する端末切替サービス装置と、前記端末切替サービス装置の命令に従って、移動端末に対する情報として設定されたテレマティックス端末の情報を非活性化させて移動端末の情報を活性化させて復元する第１ホーム位置レジスタと、前記テレマティックス端末がサービスエリアに属し、前記テレマティックス端末のプロフィール情報として設定された移動端末のプロフィール情報をテレマティックス端末のプロフィール情報で復元する第２切替装置と、を含み、前記第１切替装置は、前記第１ホーム位置レジスタから前記移動端末に対する活性命令を受信して前記移動端末の移動通信サービス遮断を解除することを特徴とする。
【００１２】
また、上記の目的を達成するため、本発明の第３側面による移動通信システムにおいて移動端末からテレマティックス端末への端末切替状態で着信不可呼に対する発信情報メッセージを提供する方法は、前記移動端末に着信されなければならない呼を前記テレマティックス端末に着信処理する段階と、前記テレマティックス端末が着信不可状態である場合、着信不可呼に対する発信情報メッセージを作成する段階と、作成された発信情報メッセージの前記移動端末への着信を臨時許容し、作成された発信情報メッセージを前記移動端末に伝送する段階と、を含むことを特徴とする。
【００１３】
また、上記の目的を達成するため、本発明の第４側面による移動端末からテレマティックス端末への端末切替状態で着信不可呼に対する発信情報メッセージを提供するシステムは、テレマティックス端末側切替装置として、前記移動端末に着信されなければならない呼を前記テレマティックス端末に着信処理する第１切替装置と、前記移動端末のプロフィール情報を保存しているホーム位置レジスタとして、前記テレマティックス端末が着信不可状態である場合、前記第１切替装置から着信不可呼に対する発信情報メッセージの伝送要請を受信するホーム位置レジスタと、前記ホーム位置レジスタの要請に応じて着信不可呼に対する発信情報メッセージを作成してメッセージセンターを通じて伝送する発信情報提供装置と、移動端末側切替装置として、前記発信情報メッセージを受信し、その受信された発信情報メッセージの前記移動端末への着信を臨時許容して、前記発信情報メッセージを前記移動端末に伝送する第２切替装置と、を含むことを特徴とする。
【図面の簡単な説明】
【００１４】
【図１】本発明の一実施例による端末切替サービスシステムのネットワーク構成を示した図である。
【図２】本発明の一実施例による端末切替サービスシステムで端末切替を設定する過程を説明するフロー図である。
【図３】本発明の一実施例による端末切替サービスシステムで端末切替を解除する過程を説明するフロー図である。
【図４】本発明の他の実施例による端末切替サービスシステムで端末切替を解除する過程を説明するフロー図である。
【図５】ホーム位置レジスタに保存されるテーブルの例を示した図である。
【図６】本発明の他の実施例による端末切替サービスシステムのネットワーク構成を示した図である。
【図７】本発明の一実施例によってテレマティックス端末が着信不可状態である場合、移動端末に着信不可呼に対する発信情報メッセージを伝送する方法を説明するフロー図である。
【発明を実施するための形態】
【００１５】
上述した目的、特徴及び長所は添付の図面に基づく以下の詳細な説明を通じてより明らかになり、それによって本発明が属する技術分野で通常の知識を持つ者が本発明の技術的思想を容易に実施できるであろう。また、本発明の説明において、本発明と関連する公知技術についての具体的な説明が本発明の要旨を不必要に不明瞭にし得ると判断される場合はその詳細な説明を省く。以下、添付の図面を参照して本発明による望ましい一実施例を詳しく説明する。
【００１６】
図１は、本発明の一実施例による端末切替サービスシステムのネットワーク構成を示した図である。
【００１７】
図１に示されたように、本発明による端末切替サービスシステムは、移動通信加入者が携帯する移動端末１１０、車輌に搭載されたテレマティックス端末１２０、基地局１３０、交換機１４０、移動通信網１５０、ホーム位置レジスタ１６０、及び端末切替サーバー１７０を含む。
【００１８】
ここで、移動通信加入者は移動端末１１０を使用している途中車輌に乗り、テレマティックス端末１２０にサービスを切り替えて移動端末１１０に提供される移動通信サービスを前記テレマティックス端末１２０で受ける。このとき、移動端末１１０としては、音声または映像通信、文字メッセージの送受信が可能な端末であれば制限なく適用することができる。例えば、ＰＤＡ、携帯電話、ＰＣＳ電話、ＧＳＭ（登録商標）電話、Ｗ−ＣＤＭＡ電話、ＣＤＭＡ−２０００電話、ＭＢＭＳ電話などが挙げられる。また、テレマティックス端末１２０は従来の一般的なテレマティックスサービスを提供し、特に移動通信モジュールが搭載されて移動通信サービスを提供する。テレマティックス端末１２０は移動端末１１０と同様に別の電話番号が割り当てられて移動通信サービスを提供する。
【００１９】
移動通信加入者は車輌に乗り、テレマティックス端末１２０で端末切替サーバー１７０に接続して移動端末１１０を選択して端末切替を要請する。このとき、端末切替サーバー１７０はテレマティックス端末１２０に多数の移動端末のリストを提供し、移動通信加入者は提供されたリストのうちいずれか１つを選択する。例えば、一台の車輌を所有した家族が端末切替サービスに加入し、テレマティックス端末１２０を切替対象として設定して各家族構成員の移動端末１１０の情報を設定する。そして、家族構成員のうち１人が車輌に乗って運転する場合、その運転者はテレマティックス端末１２０で端末切替サーバー１７０に接続し、端末切替サーバー１７０から提供される家族構成員の移動端末リストのうち自分の移動端末を選択して端末切替を要請する。
【００２０】
このとき、車輌の始動がかかる場合、テレマティックス端末１２０が自動的に端末切替サーバー１７０に接続することができる。車輌の電子制御装置で車輌の始動がかかることを感知すれば、それによる制御信号をテレマティックス端末１２０に伝送し、テレマティックス端末１２０は自動的に端末切替サーバー１７０に接続する。
【００２１】
または、移動通信加入者が直接テレマティックス端末１２０に自分の移動端末１１０の電話番号を入力し、端末切替サーバー１７０に端末切替を要請することができる。これにより、車輌を運転する移動通信加入者の移動端末１１０は非活性化されテレマティックス端末１２０は活性化され、移動通信加入者は移動端末１１０ではなくテレマティックス端末１２０で移動通信サービスを利用することができる。
【００２２】
それとも、代案として、テレマティックス端末１２０が特定移動端末１１０の電話番号を自動設定し、端末切替サーバー１７０に端末切替を要請することができる。この方法は、テレマティックス端末１２０に対して１人の移動通信加入者が端末切替サービスに加入した場合にのみ適用することができる。勿論、上記のような端末切替要請方法は、上述した範囲内で当業者によって容易に設計変更されて適用されることができる。
【００２３】
基地局（ＢＴＳ／ＮｏｄｅＢ）１３０は、テレマティックス端末１２０及び移動端末１１０と無線区間で連結され、各端末１１０、１２０を制御して通話チャネルを連結させるものであって、各端末１００、１２０から発信呼を受信して基地局制御機（ＢＳＣ／ＲＮＣ）（図示せず）に伝送する。基地局制御機は基地局１３０を制御し、各端末１００、１２０に対する無線チャネルの割当て及び解除、各端末１００、１２０及び基地局１３０の送信出力制御、セル間ソフトハンドオフ及びハードハンドオフの決定、トランスコーディング（Ｔｒａｎｓｃｏｄｉｎｇ）及びボコーディング（Ｖｏｃｏｄｉｎｇ）、基地局１３０に対する運営及びメンテナンス機能などを行う。
【００２４】
交換機１４０は、基本及び付加サービス処理、加入者の着信及び発信呼処理、位置登録手続き及びハンドオフ手続き処理、他のネックワーク、すなわち、公衆網やインテリジェントネットワークシステムなどとの連動機能を行う。特に、交換機１４０は切替の前に使用した移動端末１１０から発信される呼を遮断し、移動端末１１０に着信される音声／映像通話呼などをテレマティックス端末１２０に提供する。望ましくは、交換機１４０は移動端末１１０の非活性情報を保存管理して移動端末１１０のサービスを遮断し、またテレマティックス端末１２０のＩＭＳＩに移動端末１１０の識別情報（例えば、ＭＳＩＳＤＮ）を対応させて保存し、これを用いて移動端末１１０に着信される移動通信サービスをテレマティックス端末１２０に提供する。
【００２５】
一方、交換機１４０は端末が切り替えられた後、移動端末１１０から発信される呼を全て遮断できるが、特定機能のための発信呼は遮断しないこともある。例えば、端末を切り替えてテレマティックス端末１２０を使用している途中、端末切替を解除しようとする場合、移動端末１１０は呼発信が遮断されて移動端末１１０では端末切替が解除できない場合がある。よって、交換機１４０は移動端末１１０から端末切替解除のための発信呼が伝送される場合には、発信を許容して端末切替が解除されるようにする。望ましくは、交換機１４０は端末切替解除のための機能コード情報を保存管理し、移動端末１１０から前記機能コードを含む発信呼が伝送されれば、前記機能コードを参照して該当発信呼の発信を許容する。
【００２６】
移動通信網１５０は交換機１４０、ホーム位置レジスタ１６０、端末切替サーバー１７０と接続され、各網装備の間のインターフェース及びシグナリングを提供する。望ましくは、移動通信網１５０はＮｏ．７ネットワークを含み、各網装備はＮｏ．７ネットワークで連結されて動作する。
【００２７】
ホーム位置レジスタ（ＨＬＲ）１６０は各端末１１０、１２０の加入者情報に関するサービスプロフィールを保存しているデータベースであって、各端末１１０、１２０の識別番号（ＩＭＳＩ、ＭＳＩＳＤＮなど）、付加サービス情報、位置情報、及び本発明による端末切替に必要な情報を保存管理する。
【００２８】
望ましくは、ホーム位置レジスタ１６０は各端末１１０、１２０の位置情報を保存管理する。移動通信加入者から移動端末の切替要請があったとき、移動端末１１０の情報は非活性化させテレマティックス端末１２０の情報は活性化させて、移動端末１１０に提供される移動通信サービス（例えば、音声／映像呼など）がテレマティックス端末１２０に提供されるようにする。
【００２９】
逆に、移動通信加入者から端末切替の解除要請があったときは、移動端末１１０の情報は活性化させテレマティックス端末１２０の情報は非活性化させて、元通り移動端末１１０に移動通信サービス（例えば、音声／映像呼など）が提供されるようにする。
【００３０】
図５は、ホーム位置レジスタ１６０に保存されるテーブルの例を示した図である。図５に示されたように、ホーム位置レジスタ１６０は、移動通信加入者の端末切替要請に応じて、移動通信加入者の移動端末１１０の位置情報を活性化／非活性化させ、テレマティックス端末１２０の位置情報を非活性化／活性化させる（すなわち、端末切替フラグを「１」または「０」に設定）。より具体的に、電話番号が「０１０−１１１−ｘｘｘｘ」である移動端末１１０を使用する移動通信加入者が端末切替を要請した場合、該当移動通信加入者の移動端末１１０のプロフィール情報を保存しているホーム位置レジスタ１６０は、該当移動通信加入者の移動端末１１０の位置情報（ＲＮ１）は非活性化させ（端末切替フラグを「０」に設定）、移動端末１１０の位置情報にテレマティックス端末１２０の位置情報（ＲＮ２）を設定して活性化させる（端末切替フラグを「１」に設定）。逆に、端末切替が解除されるとき、ホーム位置レジスタ１６０はテレマティックス端末１２０の位置情報（ＲＮ２）は非活性化させ（端末切替フラグを「０」に設定）、移動端末１２０の位置情報（ＲＮ１）は活性化させる（端末切替フラグを「１」に設定）。
【００３１】
端末切替サーバー１７０は、端末切替サービスの加入者情報を保存管理し、移動通信加入者の端末切替要請に応じて移動端末を切り替え、それによる情報を保存管理する。望ましくは、端末切替サーバー１７０は移動通信加入者から端末切替要請を受信したとき、ホーム位置レジスタ１６０に記録された移動端末１１０の情報を非活性化させ、テレマティックス端末１２０の情報を活性化させる。また、端末切替サーバー１７０は移動通信加入者から端末切替の解除要請を受信したとき、ホーム位置レジスタ１６０に記録された移動端末１１０の情報を活性化させ、テレマティックス端末１２０の位置情報を非活性化させる。
【００３２】
図２は、本発明の一実施例による端末切替サービスシステムで端末切替を設定する過程を説明するフロー図である。
【００３３】
図２に示されたように、まず、移動通信加入者は移動端末１１０からテレマティックス端末１２０に端末使用を切り替えるため、テレマティックス端末１２０を用いて端末切替サーバー１７０に端末切替を要請する。テレマティックス端末１２０を用いて端末切替サーバー１７０に端末切替を要請するとき、テレマティックス端末１２０は無線区間を経由して交換機１４０に移動端末１２０の識別情報（例えば、ＭＳＩＳＤＮ）を含む端末切替要請信号を伝送する（Ｓ２０１）。次いで、交換機１４０は移動端末１２０の識別情報を含む端末切替要請信号を端末切替サーバー１７０に伝送する（Ｓ２０３）。このとき、交換機１４０は、ホーム位置レジスタ１６０に端末切替要請信号を伝送し、それに対する応答として端末切替サーバー１７０へのルーティング情報を受信した後、端末切替サーバー１７０に前記移動端末１２０の識別情報を含む端末切替要請信号を伝送することが望ましい。
【００３４】
ここで、テレマティックス端末１２０と端末切替サーバー１７０の間では移動通信加入者の認証のための過程が行える。すなわち、端末切替サーバー１７０はテレマティックス端末１２０にパスワードを入力するように求め、入力されたパスワードと端末切替サービスの加入者情報とを比べて認証を行う。本実施例では、移動通信加入者がテレマティックス端末１２０に移動端末１１０の電話番号を入力して端末切替を要請するが、実施形態によってはテレマティックス端末１２０に移動端末１１０の電話番号を入力せず、端末切替サーバー１７０が移動通信加入者認証を行った後、テレマティックス端末１２０を基準に保存された多数の移動端末１１０の情報を抽出して移動通信加入者に提供し、移動通信加入者に切り替える移動端末を選択させることもできる。
【００３５】
このように端末切替要請信号を受信した端末切替サーバー１７０は、移動端末１１０のＩＭＳＩを端末情報ＤＢで照会する（Ｓ２０５）。すなわち、移動端末１１０の電話番号（例えば、ＭＳＩＳＤＮ）を用いて端末情報ＤＢで移動端末１１０のＩＭＳＩを照会する。
【００３６】
次に、端末切替サーバー１７０は、テレマティックス端末１２０のプロフィール情報を保存しているホーム位置レジスタ１６０（図２のＨＬＲ１）にテレマティックス端末１２０が存在している位置情報（例えば、交換機１４０（図２のＭＳＣ１）の情報）を要請し、それに対する応答を受信する（Ｓ２０７、Ｓ２０９）。
【００３７】
次いで、端末切替サーバー１７０は、移動端末１１０のプロフィール情報を保存しているホーム位置レジスタ１６０（図２のＨＬＲ２）に、テレマティックス端末１２０の位置情報（例えば、交換機１４０（図２のＭＳＣ１）の情報）を含む端末切替命令を伝送する（Ｓ２１１）。
【００３８】
移動端末１１０のプロフィール情報を保存しているホーム位置レジスタ１６０（ＨＬＲ２）は、端末切替サーバー１７０からの端末切替命令を受信すると、内部に保存管理している移動端末１１０の位置情報は非活性化させ、前記端末切替命令に含まれたテレマティックス端末１２０の位置情報を設定して活性化させる（Ｓ２１３）。すなわち、移動端末１１０のプロフィール情報を保存しているホーム位置レジスタ１６０（ＨＬＲ２）内に、移動端末１１０の位置情報として実際の位置情報ではなくテレマティックス端末１２０の位置情報を追加設定して活性化させることで、移動端末１１０に着信されるサービス信号がテレマティックス端末１２０に伝送できるようにする。
【００３９】
次に、移動端末１１０のプロフィール情報を保存しているホーム位置レジスタ１６０（ＨＬＲ２）は、テレマティックス端末１２０が位置している交換機１４０（ＭＳＣ１）に移動端末１１０のプロフィール情報を伝送する（Ｓ２１５）。テレマティックス端末１２０が存在している交換機１４０（ＭＳＣ１）は、移動端末１１０のプロフィール情報を受信すると、テレマティックス端末１２０のプロフィール情報を受信した移動端末１１０のプロフィール情報に変更する（Ｓ２１７）。すなわち、交換機１４０（ＭＳＣ１）は、テレマティックス端末１２０のＩＭＳＩに移動端末１１０の電話番号（例えば、ＭＳＩＳＤＮ）をマッピングして保存管理する。望ましくは、テレマティックス端末１２０の情報は訪問位置レジスタ（ＶＬＲ）に保存管理される。また、望ましくは、ホーム位置レジスタ１６０（ＨＬＲ２）はテレマティックス端末１２０のＩＭＳＩに移動端末１１０のプロフィール情報をマッピングして交換機１４０（ＭＳＣ１）に伝送し、交換機１４０（ＭＳＣ１）はテレマティックス端末１２０のプロフィール情報を受信された情報に置き換える。結局、交換機１４０（ＭＳＣ１）ではテレマティックス端末１２０のＩＭＳＩにテレマティックス端末１２０のプロフィール情報ではなく移動端末１１０のプロフィール情報をマッピングして保存管理するようになる。
【００４０】
移動端末１１０に着信される呼は、移動端末１１０のプロフィール情報を保存しているホーム位置レジスタ１６０（ＨＬＲ２）によってテレマティックス端末１２０が位置している交換機１４０（ＭＳＣ１）に伝達される。交換機１４０（ＭＳＣ１）は伝達された呼の着信者情報（例えば、移動端末１１０のＭＳＩＳＤＮ）を用いて前記マッピング情報でテレマティックス端末１２０のＩＭＳＩを検索し、検索されたＩＭＳＩを用いてテレマティックス端末１２０をページングして前記移動端末１１０に伝達されなければならない着信呼を前記テレマティックス端末１２０に伝達する。このようにして、移動通信加入者は移動端末１１０ではなくテレマティックス端末１２０を用いて、移動端末１１０に着信されるサービスの提供を受けることができる。
【００４１】
一方、移動端末１１０のプロフィール情報を保存しているホーム位置レジスタ１６０は、移動端末１１０が位置している交換機１４０（図２のＭＳＣ２）に移動端末１１０の非活性化命令を伝送する（Ｓ２１９）。これにより、交換機１４０（ＭＳＣ２）は移動端末１１０に着信されるサービスを遮断し、また移動端末１１０から発信される呼を遮断して、移動端末１１０ではサービスを利用できないようにする。
【００４２】
上記のように、本発明による端末切替方法によれば、移動通信加入者は車輌に乗って移動端末１１０の代わりにテレマティックス端末１２０を通じて前記移動端末１１０に提供されるサービスの提供を受けることができる。したがって、車輌の運行の際に発生し得る安全事故を防止することができる。
【００４３】
図３は、本発明の一実施例による端末切替サービスシステムで端末切替を解除する過程を説明するフロー図である。
【００４４】
図３に示されたように、まず、移動通信加入者はテレマティックス端末１２０を使用している途中移動端末１１０に再び切り替えて移動端末１１０を使用するため、テレマティックス端末１２０を用いて端末切替サーバー１７０に端末切替の解除を要請する。テレマティックス端末１２０を用いて端末切替サーバー１７０に端末切替解除を要請するとき、テレマティックス端末１２０は無線区間を経由して交換機１４０（図３のＭＳＣ１）にテレマティックス端末１２０の識別情報を含む端末切替の解除要請信号を伝送する（Ｓ３０１）。このとき、テレマティックス端末１２０は車輌のエンジンが停止する場合、自動的に端末切替解除を試みることができる。すなわち、車輌のエンジンが止まれば、車輌に装着された電気制御装置（Ｅｌｅｃｒｔｉｃ Ｃｏｎｔｒｏｌ Ｕｎｉｔ）は車輌のエンジンが止まったことを認知し、それに従う制御信号をテレマティックス端末１２０に伝達する。テレマティックス端末１２０は自動的に端末切替サーバー１７０に端末切替の解除を要請する。
【００４５】
次いで、交換機１４０はテレマティックス端末１２０から伝送された端末切替の解除要請信号を端末切替サーバー１７０に伝送する（Ｓ３０３）。このとき、交換機１４０は、ホーム位置レジスタ１６０に端末切替の解除要請信号を伝送し、それに対する応答として端末切替サーバー１７０へのルーティング情報を受信した後、端末切替サーバー１７０に端末切替の解除要請信号を伝送することが望ましい。
【００４６】
次に、端末切替サーバー１７０は、テレマティックス端末１２０のプロフィール情報を保存しているホーム位置レジスタ１６０（図３のＨＬＲ１）に端末切替の解除要請信号を伝送する（Ｓ３０５）。すると、テレマティックス端末１２０のプロフィール情報を保存しているホーム位置レジスタ１６０（ＨＬＲ１）は、テレマティックス端末１２０が位置している交換機１４０（ＭＳＣ１）にテレマティックス端末１２０のプロフィール情報を伝送する（Ｓ３０７）。
【００４７】
テレマティックス端末１２０が位置している交換機１４０（ＭＳＣ１）は、テレマティックス端末１２０のプロフィール情報を受信すると、受信したテレマティックス端末１２０のプロフィール情報を用いて内部に保存されたテレマティックス端末１２０のプロフィール情報を復元する（Ｓ３０９）。すなわち、交換機１４０（ＭＳＣ１）は、テレマティックス端末１２０のプロフィール情報でテレマティックス端末１２０のＩＭＳＩに移動端末１１０の電話番号（例えば、ＭＳＩＳＤＮ）をマッピングして保存管理したが、移動通信加入者の端末切替解除により、交換機１４０（ＭＳＣ１）がテレマティックス端末１２０のＩＭＳＩにマッピングされた端末電話番号を移動端末１１０の電話番号からテレマティックス端末１２０の電話番号に復元する。
【００４８】
一方、端末切替サーバー１７０は、移動端末１１０のプロフィール情報を保存しているホーム位置レジスタ１６０（ＨＬＲ２）に端末切替の解除要請信号を伝送する（Ｓ３１１）。すなわち、端末切替サーバー１７０は、内部に保存管理している端末切替サービスの加入者情報と前記テレマティックス端末１２０の情報を用いて移動端末１１０の情報を抽出し、抽出した情報に基づいて移動端末１１０のプロフィール情報を保存しているホーム位置レジスタ１６０（ＨＬＲ２）に端末切替の解除要請信号を伝送する。
【００４９】
このように、移動端末１１０のプロフィール情報を保存しているホーム位置レジスタ１６０（ＨＬＲ２）が、端末切替サーバー１７０から端末切替の解除要請信号を受信すると、内部に保存管理している移動端末１１０の位置情報は活性化させ、テレマティックス端末１２０の位置情報は非活性化させる（Ｓ３１３）。すなわち、移動端末１１０のプロフィール情報を保存しているホーム位置レジスタ１６０（ＨＬＲ２）内に、移動端末１１０の位置情報として実際の移動端末１１０の位置情報ではなくテレマティックス端末１２０の位置情報が設定されていたが、それを再び実際の移動端末１１０の位置情報に復元する。したがって、移動端末１１０に着信されるサービス信号が通常通り移動端末１１０に伝送されることができる。
【００５０】
一方、移動端末１１０のプロフィール情報を保存しているホーム位置レジスタ１６０（ＨＬＲ２）は、移動端末１１０が位置している交換機１４０（図３のＭＳＣ２）に移動端末１１０に対する活性化命令を伝送する（Ｓ３１５）。これにより、交換機１４０（ＭＳＣ２）は移動端末１１０に着信されるサービスをそのまま移動端末１１０に伝送し、また移動端末１１０から発信される呼を許容して本来のサービスを提供する。
【００５１】
図４は、本発明の他の実施例による端末切替サービスシステムで端末切替を解除する過程を説明するフロー図であって、図３を参照して説明した実施例とは違ってサービスが遮断された移動端末１１０を用いて端末切替を解除する場合である。
【００５２】
図４に示されたように、まず、移動通信加入者はテレマティックス端末１２０を使用している途中移動端末１１０（図４のＭＳ２）に復帰して移動端末１１０を使用するため、移動端末１１０に端末切替解除のための機能コード（例えば、＊＊４４など）を入力して通話ボタンを押す。すると、移動端末１１０から前記機能コードを含む端末切替の解除要請が交換機１４０（図４のＭＳＣ２）に伝送される（Ｓ４０１）。端末が切り替えられた後、交換機１４０（ＭＳＣ２）は移動端末１４０から発信される呼を遮断するが、発信呼に端末切替解除のための機能コードが含まれた場合、呼の発信を許容する。
【００５３】
これにより、交換機１４０（ＭＳＣ２）は機能コードに基づいて端末切替サーバー１７０に端末切替の解除を要請する（Ｓ４０３）。このとき、交換機１４０（ＭＳＣ２）はホーム位置レジスタ１６０に前記機能コードの解釈を要請し、それに対する応答として端末切替サーバー１７０へのルーティング情報を受信した後、端末切替サーバー１７０に端末切替の解除要請信号を伝送することが望ましい。
【００５４】
次に、切替解除要請信号を受信した端末切替サーバー１７０は、内部に保存された端末切替サービスの加入者情報を用いてテレマティックス端末１２０のプロフィール情報を保存しているホーム位置レジスタ１６０（図３のＨＬＲ１）に端末切替の解除要請信号を伝送する（Ｓ４０５）。すると、テレマティックス端末１２０のプロフィール情報を保存しているホーム位置レジスタ１６０（ＨＬＲ１）は、テレマティックス端末１２０が位置している交換機１４０（ＭＳＣ１）にテレマティックス端末１２０のプロフィール情報を伝送する（Ｓ４０７）。
【００５５】
テレマティックス端末１２０が位置している交換機１４０（ＭＳＣ１）が、テレマティックス端末１２０のプロフィール情報を受信すると、受信したテレマティックス端末１２０のプロフィール情報を用いて内部に保存されたテレマティックス端末１２０のプロフィール情報を復元する（Ｓ４０９）。すなわち、テレマティックス端末１２０が位置している交換機１４０（ＭＳＣ１）は、テレマティックス端末１２０のプロフィール情報でテレマティックス端末１２０のＩＭＳＩに移動端末１１０の電話番号（例えば、ＭＳＩＳＤＮ）をマッピングして保存管理していたが、移動通信加入者の端末切替解除により、交換機１４０（ＭＳＣ１）はテレマティックス端末１２０のＩＭＳＩにマッピングされた端末電話番号を移動端末１１０の識別情報からテレマティックス端末１２０の電話番号に復元する。
【００５６】
一方、端末切替サーバー１７０は、移動端末１１０のプロフィール情報を保存しているホーム位置レジスタ１６０（ＨＬＲ２）に端末切替の解除要請信号を伝送する（Ｓ４１１）。
【００５７】
このように、移動端末１１０のプロフィール情報を保存しているホーム位置レジスタ１６０（ＨＬＲ２）が、端末切替サーバー１７０から端末切替の解除要請信号を受信すると、内部に保存管理している移動端末１１０の位置情報は活性化させ、テレマティックス端末１２０の位置情報は非活性化させる（Ｓ４１３）。すなわち、移動端末１１０のプロフィール情報を保存しているホーム位置レジスタ１６０（ＨＬＲ２）内に、移動端末１１０の位置情報として実際の移動端末１１０の位置情報ではなくテレマティックス端末１２０の位置情報が設定されていたが、それを再び実際移動端末１１０の位置情報に復元する。したがって、移動端末１１０に着信されるサービス信号が通常通り移動端末１１０に伝送されることができる。
【００５８】
一方、移動端末１１０のプロフィール情報を保存しているホーム位置レジスタ１６０（ＨＬＲ２）は、移動端末１１０が位置している交換機１４０（図３のＭＳＣ２）に移動端末１１０に対する活性化命令を伝送する（Ｓ４１５）。これにより、交換機１４０（ＭＳＣ２）は移動端末１１０に着信されるサービスをそのまま移動端末１１０に伝送し、また移動端末１１０から発信される呼を許容して本来のサービスを提供する。
【００５９】
テレマティックス端末１２０に切り替えて使用していた移動通信加入者が車輌から降りるかまたは車輌が移動通信サービスエリアから外れる場合、テレマティックス端末１２０では端末切替を解除することができない。しかし、本発明によれば、移動端末１１０で端末切替を解除することができ、上記のような問題点を解決することができる。
【００６０】
図６は、本発明の他の実施例による端末切替サービスシステムのネットワーク構成を示した図である。ここで、図１と同じ参照番号を持つ構成要素は同じ機能をするため、その詳細な説明は省いて他の部分のみを説明する。
【００６１】
移動通信加入者が車輌に乗り、テレマティックス端末１２０に端末を切り替えて使用している途中、車輌がサービスエリアから外れる場合（例えば、地下駐車場に進入する場合）、テレマティックス端末１２０に着信呼が提供されない。その後、移動端末１１０を用いて端末切替を解除せず、移動通信加入者が車輌から降りて移動する場合は、移動端末１１０がサービスエリアに入っても着信呼が提供されなくなる。このようなことを防止するため、着信不可呼に対する発信情報メッセージを移動端末１１０に提供し、現在端末切替状態であることを通知できる方法が求められる。
【００６２】
したがって、図６に示されたように、本発明による端末切替サービスシステムは、着信不可呼に対する情報を含む発信情報メッセージを作成して提供する発信情報提供サーバー６１０をさらに含む。
【００６３】
このとき、ホーム位置レジスタ１６０は、切り替えて使用中のテレマティックス端末１２０が着信不可状態である場合、発信情報提供サーバー６１０に着信不可呼に対する発信情報メッセージの伝送を要請する。また、交換機１４０は、移動端末１１０の発／着信サービスは遮断するものの、着信不可呼に対する発信情報メッセージは臨時許容して前記移動端末１１０に伝送する。そのために、ホーム位置レジスタ１６０には、着信不可呼に対する発信情報メッセージは移動端末１１０に伝送できるように関連情報が設定される。また、発信情報提供サーバー６１０は交換機１４０に着信不可呼に対する発信情報メッセージを伝送するとき、該当メッセージが着信不可呼に対する発信情報メッセージであることを示すインジケーターを含めて伝送する。それにより、交換機１４０は前記インジケーターに基づいて移動端末１１０に発信情報メッセージが伝送できるように許容する。
【００６４】
図７は、本発明の一実施例によってテレマティックス端末に端末を切り替えた状態でテレマティックス端末が着信不可状態になる場合、移動端末に着信不可呼に対する発信情報メッセージを伝送する方法を説明するフロー図である。
【００６５】
図７に示されたように、テレマティックス端末１２０に呼が着信される場合、テレマティックス側交換機１４０はテレマティックス端末１２０にページングして呼着信を試みる（Ｓ７０１）。このとき、テレマティックス端末１２０がサービスエリアから外れた場合のようにテレマティックス端末１２０が応答しない場合（Ｓ７０３）、テレマティックス側交換機１４０は移動端末１１０のプロフィール情報を保存しているホーム位置レジスタ１６０に着信不可呼に対する発信情報メッセージの伝送を要請する（Ｓ７０５）。
【００６６】
移動端末１１０のプロフィール情報を保存しているホーム位置レジスタ１６０は、発信者情報及び着信者情報（すなわち、移動端末１１０の情報）を含む発信情報メッセージ伝送要請を発信情報提供サーバー６１０に伝送する（Ｓ７０７）。ここで、ホーム位置レジスタ１６０は、移動通信加入者の端末切替活性化情報に従って着信不可呼に対する発信情報メッセージをテレマティックス端末１２０に伝送すべきであるが、着信不可呼に対する発信情報メッセージは移動端末１１０に伝送されるように予め設定しておく。
【００６７】
ホーム位置レジスタ１６０から発信情報メッセージ伝送要請を受信した発信情報提供サーバー６１０は、前記発信情報メッセージ伝送要請に含まれた発信者情報、着信者情報などをまとめて着信不可呼に対する発信情報メッセージを作成する。そして、作成した発信情報メッセージをメッセージセンターを通じて移動端末１１０が位置する交換機１４０に伝送する（Ｓ７０９）。このとき、発信情報メッセージには該当メッセージが着信不可呼に対するメッセージであることを示すインジケーターが含まれる。
【００６８】
移動端末１１０が位置している交換機１４０は、発信情報メッセージに含まれたインジケーターによって該当発信情報メッセージの着信を臨時許容し（Ｓ７１１）、発信情報メッセージを移動端末１１０に伝送する（Ｓ７１３）。これにより、移動通信加入者はテレマティックス端末６１０に端末切替を設定しておいた状態であるが、移動端末１１０で着信不可呼に対する発信情報メッセージを受信することで、現在端末切替が解除されておらず、テレマティックス端末１２０が着信不可能な状態でかかってきた受信呼を確認することができる。移動通信加入者は移動端末１１０を用いて端末切替を解除して移動端末１１０で移動通信サービスの提供を受ける。
【００６９】
上述した実施例において、テレマティックス端末１２０は回線交換網を通じて端末切替の設定及び解除要請を伝送し、それによって交換機１４０に端末切替の設定及び解除要請信号が伝送される。また、交換機１４０に移動端末１１０の活性化または非活性化情報が設定され、移動端末１１０に着信される回線交換信号を許容または遮断する。また、交換機１４０にテレマティックス端末１２０のプロフィール情報として前記移動端末１１０のプロフィール情報が保存され、交換機１４０は移動端末１１０に伝送される回線交換信号をテレマティックス端末１２０に伝送する。しかし、本発明はこれに制限されず、パケット交換信号に対しても同様に適用されることができる。すなわち、テレマティックス端末１２０はパケット交換網を通じて端末切替の設定または解除が可能である。この場合、端末切替の設定及び解除要請信号は、パケットサービスを提供するパケット交換サポートノード（ＳＧＳＮ：Ｓｅｒｖｉｎｇ ＧＰＲＳ Ｓｕｐｐｏｒｔ Ｎｏｄｅ）に伝送されて端末切替サーバー１７０に伝送され、前記パケット交換サポートノード（ＳＧＳＮ）には前記交換機１４０と同様の方法で移動端末１１０の活性化または非活性化情報が設定され、テレマティックス端末１２０のプロフィール情報が設定されることができる。これにより、移動端末１１０に提供されるパケットサービスは遮断または許容され、移動端末１１０に提供されるパケットサービスはテレマティックス端末１２０に提供される。
【００７０】
上述したような本発明の方法は、プログラムとして具現されてコンピューター可読の形態で記録媒体（ＣＤ−ＲＯＭ、ＲＡＭ、ＲＯＭ、フロッピー（登録商標）ディスク、ハードディスク、光磁気ディスクなど）に保存されることができる。このような過程は本発明が属する技術分野で通常の知識を持つ者であれば容易に実施できるので、詳しい説明は省く。
【００７１】
上述した本発明は本発明が属する技術分野で通常の知識を持つ者であれば本発明の技術的思想を逸脱しない範囲内で様々な置換、変形及び変更が可能であるので、上述した実施例及び添付する図面によって限定されるものではない。
【産業上の利用可能性】
【００７２】
本発明によれば、移動通信加入者は車輌に乗る場合、移動端末からテレマティックス端末に端末を切り替えて使用することで、車輌事故を防止することができる。また、テレマティックス端末に端末を切り替えた場合、テレマティックス端末だけでなく移動端末で端末切替を解除することができ、容易に端末切替サービスを利用することができる。さらに、テレマティックス端末がサービスエリアから外れた場合、移動端末に着信不可呼に対する発信情報メッセージを提供し、直ちに端末切替を解除でき、端末切替を解除する前にかかってきた電話を確認でき、重要な通話を逃す問題を解決することができる。
【図１】
2010527555.tif 000003
【図２】
2010527555.tif 000004
【図３】
2010527555.tif 000005
【図４】
2010527555.tif 000006
【図５】
2010527555.tif 000007
【図６】
2010527555.tif 000008
【図７】
2010527555.tif 000009
【国際調査報告】
2010527555.tif 000010
2010527555.tif 000011